(57)【要約】  本発明は、端末の分野に関連し、表示される複数の入力のうちの複数の入力に対するバッチ処理を実行することが可能であり、かつユーザの操作速度を向上する、端末複数選択操作方法及び端末を開示する。本発明の実施例は、タッチスクリーンにより現在表示されているコンテンツが複数の表示される入力である場合に、ユーザの第１の操作を受信するステップであって、前記複数の表示される入力は、端末に記憶される複数のデータ項目に対応する、ステップ；前記第１の操作が選択モードを起動するための第１の事前設定操作である場合に、前記タッチスクリーンの前記選択モードを起動するステップ；及び前記ユーザの第２の操作を受信し、かつ前記第２の操作のトラックに沿った全ての入力について、第２の事前設定操作を実行するステップ；を含む端末複数選択操作方法を開示する。
2015513149.tif 000002
【特許請求の範囲】
【請求項１】
端末複数選択操作方法であって：
タッチスクリーンにより現在表示されているコンテンツが複数の表示される入力である場合に、ユーザの第１の操作を受信するステップであって、前記複数の表示される入力は、端末に記憶される複数のデータ項目に対応する、ステップ；
前記第１の操作が第１の事前設定操作である場合に、前記タッチスクリーンの選択モードを起動するステップ；及び
ユーザの第２の操作を受信し、かつ前記第２の操作のトラックに沿った全ての入力について、第２の事前設定操作を実行するステップ；
を備える、方法。
【請求項２】
前記第２の操作のトラックに沿った全ての入力について、第２の事前設定操作を実行するステップは：
前記第２の操作のトラックに沿った入力が選択されていない入力である場合に、該入力について選択操作を実行するステップ；及び
前記第２の操作のトラックに沿った入力が選択された入力である場合に、該入力について選択解除操作を実行するステップ；
を含む、請求項１に記載の方法。
【請求項３】
前記第２の操作のトラックに沿った全ての入力について、第２の事前設定操作を実行するステップは：
前記第２の操作のトラックに沿った複数の入力が、選択された入力及び選択されていない入力の両方を含む場合に、該第２の操作のトラックに沿った該複数の入力について、一様に、選択操作又は選択解除操作を実行するステップ；
を含む、請求項１に記載の方法。
【請求項４】
前記第２の操作のトラックに沿った全ての入力について、第２の事前設定操作を実行するステップは：
前記第２の操作のトラックに沿った複数の入力が、選択された入力及び選択されていない入力の両方を含む場合、該第２の操作のトラックに沿った複数の入力の中の選択された入力の数量及び選択されていない入力の数量を検出するステップ；
前記第２の操作のトラックに沿った複数の入力の中の前記選択された入力の数量が、前記選択されていない入力の数量以上である場合に、該第２の操作のトラックに沿った複数の入力について、選択解除操作を実行するステップ；及び
前記第２の操作のトラックに沿った複数の入力の中の前記選択された入力の数量が、前記選択されていない入力の数量未満である場合に、該第２の操作のトラックに沿った複数の入力について、選択操作を実行するステップ；
を含む、請求項１に記載の方法。
【請求項５】
前記第２の操作のトラックに沿った全ての入力について第２の事前設定操作を実行するステップの後、前記方法は、以下のステップのうちの１つ以上をさらに含む：
前記ユーザの第２の操作のトラックが、現在の操作領域の上端／下端に達した場合に、現在タッチスクリーンにより表示されるコンテンツを上／下に読み取るステップ；及び
前記ユーザの第２の動作のトラックが、現在の操作領域の左端／右端に達した場合に、前記タッチスクリーンにより現在表示されているコンテンツを左／右に読み取るステップ；
請求項１から４のいずれか１項に記載の方法。
【請求項６】
前記第２の操作のトラックに沿った全ての入力について第２の事前設定操作を実行するステップの後、前記方法は、以下のステップのうちの１つ以上をさらに含む：
前記ユーザの第３の操作を受信するステップ；及び
前記第３の操作が第３の事前設定操作である場合に、前記タッチスクリーンの前記選択モードを無効化するステップ；
請求項１から５のいずれか１項に記載の方法。
【請求項７】
端末であって：
現在タッチスクリーンにより表示されているコンテンツが、複数の表示される入力である場合に、ユーザの第１の操作を受信するように構成される第１操作受信部であって、前記表示される複数の入力は、端末に記憶される複数のデータ項目に対応する、第１操作受信部；
前記第１の操作が第１の事前設定操作である場合に、前記タッチスクリーンの選択モードを起動するように構成される選択モード起動部；及び
前記ユーザの第２の操作を受信し、かつ前記第２の操作のトラックがスライディングトラックである場合に、該第２の操作のトラックに沿った全ての入力について、第２の事前設定操作を実行するように構成される第２操作受信部；
を備える、端末。
【請求項８】
前記第２操作受信部は：
前記第２の操作のトラックに沿った入力が選択されていない入力である場合に、該入力について選択操作を実行するように構成される選択サブユニット；及び
前記第２の操作のトラックに沿った入力が選択された入力である場合に、該入力について選択解除操作を実行するように構成される選択解除サブユニット；
を含む、請求項７に記載の端末。
【請求項９】
前記第２操作受信部は、
前記第２の操作のトラックに沿った複数の入力が、選択された入力及び選択されていない入力を含む場合に、前記第２の操作のトラックに沿った複数の入力について、選択操作又は選択解除操作のいずれか一つを一様に実行するように構成される第１動作サブユニット；
を含む、請求項７に記載の端末。
【請求項１０】
前記第２操作受信部は：
前記第２の操作のトラックに沿った複数の入力が、選択された入力及び選択されていない入力を含む場合、該第２の操作のトラックに沿った複数の入力における、選択された入力の数量及び選択されていない入力の数量を検出するように構成される検出サブユニット；及び
前記第２の操作のトラックに沿った複数の入力のうちの前記選択された入力の数量が、前記選択されていない入力の数量以上である場合に、該第２の操作のトラックに沿った複数の入力に対する選択解除操作を実行するように構成される第２動作サブユニット；及び
前記第２の操作のトラックに沿った複数の入力のうちの前記選択された入力の数量が前記選択されていない入力の数量未満である場合に、前記第２の操作のトラックに沿って、前記複数の入力の選択操作を実行するように構成される第３動作サブユニット；
を含む、請求項７に記載の端末。
【請求項１１】
第１スライディングユニット及び第２スライディングユニットのうちの１つ以上をさらに含み：
前記第１スライディングユニットは、前記ユーザの第２の動作のトラックが、現在の操作領域の上端／下端に達した場合、現在タッチスクリーンにより表示されている前記コンテンツを上／下に読み取るように構成され；かつ
前記第２スライディングユニットは、前記ユーザの第２の動作のトラックが、現在の操作領域の左端／右端に達した場合、現在タッチスクリーンにより表示されている前記コンテンツを左／右に読み取るように構成される、
請求項７から１０のいずれか１項に記載の端末。
【請求項１２】
ユーザの第３の操作を受信するように構成される第３操作受信部；及び
前記第３の操作が、第３の事前設定操作である場合に、前記タッチスクリーンの選択モードを無効化するように構成される選択モード無効化部；
をさらに含む、クレーム７から１１のいずれか１項に記載の端末。
【発明の詳細な説明】
【技術分野】
【０００１】
［関連出願の相互参照］
本出願は、２０１２年３月６日に中国特許庁に出願された「ＴＥＲＭＩＮＡＬ  ＭＵＬＴＩＳＥＬＥＣＴＩＯＮ  ＯＰＥＲＡＴＩＯＮ  ＭＥＴＨＯＤ  ＡＮＤ  ＴＥＲＭＩＮＡＬ」と題する中国特許出願第２０１２００５６７３９．５の優先権を主張し、参照することにより、その全内容をここに援用する。
【０００２】
本発明は、端末の分野に関連し、そして特に、端末複数選択操作方法及び端末に関連する。
【背景技術】
【０００３】
現在、タッチスクリーンが、携帯電話やタブレット等の端末製品において広く適用されている。ユーザが、端末装置のディスプレイインターフェースにおける複数のディスプレイ入力の操作を行う必要がある場合、通常、二つの方法が存在する。一つの方法は、必要な全ての入力が選択されるまで、タッチスクリーンを使用することにより、複数のディスプレイ入力を一つずつ選択することである；そして、もう一つの方法は、装置が全てを選択する操作を提供する場合に、全ての入力を直接選択することである。例えば、携帯電話において、ショートメッセージを複数の連絡先にグループ送信する必要がある場合、ユーザにより要求される連絡先のグループが選択されるまで、連絡先を１つずつ選択するか、或いは全ての連絡先を直接選択する必要がある。
【０００４】
前述の技術的解決手段を実行する処理において、発明者は、先行技術において、少なくとも以下の問題が存在することを見出した。ユーザが複数のディスプレイの入力を一つずつ選択することは、時間がかかり、かつ動作速度向上の及びユーザの操作性の向上に不利であり；そしてユーザが全ての連絡先を選択する必要がない場合には、全ての連絡先を直接選択する操作方法は、全く適用できない。
【発明の概要】
【発明が解決しようとする課題】
【０００５】
本発明の複数の実施例は、表示された複数の入力のうちのいくつかの入力に対する自由選択及びバッチ操作を実行可能な、タッチスクリーン操作方法及び端末を提供し、これによりユーザの操作速度を向上させる。
【課題を解決するための手段】
【０００６】
上記目的を達成するために、本発明の複数の実施例は、以下の技術的解決手段を採用する。
【０００７】
タッチスクリーンの操作方法であって：タッチスクリーンにより現在表示されているコンテンツが複数の表示される入力である場合に、ユーザの第１の操作を受信するステップであって、前記複数の表示される入力は、端末に記憶される複数のデータ項目に対応する、ステップ；前記第１の操作が第１の事前設定操作である場合に、前記タッチスクリーンの選択モードを起動するステップ；及びユーザの第２の操作を受信し、かつ前記第２の操作のトラックに沿った全ての入力について、第２の事前設定操作を実行するステップ；を備える、タッチスクリーンの操作方法。
【０００８】
端末であって：タッチスクリーンにより現在表示されているコンテンツが、複数の表示される入力である場合に、ユーザによる第１の操作を受信するように構成される第１操作受信部であって、前記複数の表示される入力は、端末に記憶される複数のデータ項目に対応する、第１操作受信部；前記第１の操作が第１の事前設定操作である場合に、前記タッチスクリーンの選択モードを起動するように構成される選択モード起動部；及び前記ユーザの第２の操作を受信し、かつ前記第２の操作のトラックがスライディングトラックである場合に、該第２の操作のトラックに沿った全ての入力について、第２の事前設定操作を実行するように構成される第２操作受信部；を備える端末。
【０００９】
本発明の複数の実施例により提供される、端末複数選択操作方法及び端末において、ユーザの操作に従って、タッチスクリーンの選択モードが起動され、当該選択モード下において、ユーザは、バッチで、選択される必要のある複数の入力についての事前設定操作を実行し、これにより、表示される複数の入力についてのユーザによる一つずつの操作を回避し、表示される複数の項目のいくつかの入力についての自由選択及びバッチ操作を実行し、かつユーザによる操作時間の消費を低減することができる。
【図面の簡単な説明】
【００１０】
本発明の複数の実施例又は従来技術における技術的解決手段をより明確に説明するために、以下において、複数の実施例又は従来技術を説明するために必要な添付図面を簡単に紹介する。明らかに、以下の説明における添付図面は、本発明のいくつかの実施例を単に示すものであり、当業者は、創造的努力なしで、これらの添付図面から他の図面を導き出すことができる。
【００１１】
【図１】本発明の実施例１に従う、タッチスクリーン操作方法のフローチャートである。
【００１２】
【図２】本発明の実施例１に従う、端末表示インターフェースの概略図である。
【００１３】
【図３】図２の複数選択操作後のディスプレイインターフェースの概略図である。
【００１４】
【図４】本発明の実施例２に従う、タッチスクリーン操作方法のフローチャートである。
【００１５】
【図５】本発明の実施例３に従う、端末のブロック図である。
【００１６】
【図６】本発明の実施例３に従う、他の端末のブロック図である。
【００１７】
【図７】本発明の実施例に従う、体性間隔領域に対して適用される操作方法のフローチャートである。
【００１８】
【図８】本発明の実施例に従う、体性感覚領域に対して適用される端末のブロック図である。
【発明を実施するための形態】
【００１９】
以下において、本発明の複数の実施例における添付図面を参照することにより、本発明の複数の実施例における複数の技術的解決手段を明確かつ完全に説明する。説明される複数の実施例は、本発明の複数の実施例の全てではなく、単にその部分であることが明らかである。本発明の複数の実施例に基づき、創造的努力なしで、当業者により取得される他の全ての実施例は、本発明の保護範囲に属さなければならない。
【００２０】
実施例１
本発明の実施例は、図１に示されるように、以下の複数のステップを含む、端末複数選択操作方法を提供する。
【００２１】
１０１：端末のタッチスクリーンにより現在表示されているコンテンツが、複数の表示される入力である場合に、ユーザの第１の操作を受信する。表示される複数の入力は、現在のインターフェースにおいて表示されるデータ情報であり、かつ端末に記憶される複数のデータ項目に対応し；かつタッチスクリーンは、接触体としての、指、タッチペン等を用いて操作を実行できるスクリーンのことを言う。また、体性感覚ジェスチャーを用いることによる操作は、説明の便宜上ここにおいては詳細には説明されないが、この後において詳細に説明される本発明の実施例により定められる範囲に属するということに注意すべきである。
【００２２】
１０２：第１の操作が、選択モードを起動するための第１の事前設定操作である場合、タッチスクリーンの選択モードを起動する。ここで、選択モードとは、そのモードにおいて、端末がタッチスクリーン上のユーザの操作を受信した後、現在タッチスクリーンに表示されるコンテンツをスライドすることなく、操作のトラックに沿って、表示される複数の入力について端末がバッチ操作を実行することを意味する。
【００２３】
第１の事前設定操作、すなわち、選択モードを起動する操作は、機能メニューを用いて選択されてもよく、又は特定のキーを用いて起動されてもよい。ここで、当該キーは、仮想キー又は物理的なキーであってもよい。機能メニューを用いる場合、選択モードを起動するために、タッチスクリーンは、特定の操作インターフェースの下で長時間タッチされるか、又は選択モードに入るために、メニューキーを用いることにより、選択メニューが操作される。本発明の実施例は、それに対して如何なる限定も設定しない。また、選択モードが起動される場合、フォント又はディスプレイの地色を変更すること、又はフローティングフォント（ｆｌｏａｔｉｎｇ  ｆｏｎｔ）を用いる等の方法を用いることにより、選択モードが起動されたことについてのダイアログがユーザに対して表示されてもよい。
【００２４】
１０３：ユーザの第２の操作を受信し、かつ第２の操作のトラックに沿って、全ての入力についての第２の事前設定操作が実行される。
【００２５】
オプションとして、第２の操作は、タップ選択操作（ｔａｐ−ｓｅｌｅｃｔｉｏｎ  ｏｐｅｒａｔｉｏｎ）又はスライド操作（ｓｌｉｄｉｎｇ  ｏｐｅｒａｔｉｏｎ）であってもよく；スライド操作について、スライディングトラック（ｓｌｉｄｉｎｇ  ｔｒａｃｋ）は、連続又は不連続であってもよく、かつ任意の形状のトラックであってもよい。第２の事前設定操作は、複数の入力に対して実行される、選択操作又は選択解除操作である。
【００２６】
例えば、図２に示されるように、タッチスクリーンにより現在表示される複数の入力は、コンタクトリストであり、そして、この場合において、ユーザは、特定の操作を用いることにより、選択モードを開始することができる。ここで、当該特定の操作は、機能メニューを用いること又は特定のキーを用いることによる選択であってもよく、当該キーは仮想キー又は物理的キーであってもよい。選択モードに入った後、ユーザは、タッチスクリーン上でのスライド又はタッチスクリーンのタッピング等により、現在表示されている連絡先のリストの複数の入力を選択してもよく、かつユーザの操作に従って、端末は事前設定操作、つまり、操作のトラックに沿った全ての連絡先についての選択操作又は選択解除操作を実行する。事前設定操作が選択操作である場合、表示効果は、図３に示されるようになる。選択ボックスは、必ずしも連絡先のリスト内である必要はなく、かつ端末は、他の方法を用いて選択された情報のダイアログをユーザに表示してもよい。図２及び図３の双方は、本発明の実施例の例示的な実施方法を示す。
【００２７】
本発明の実施例により提供される、端末複数選択操作方法によると、ユーザの操作に従って、タッチスクリーンの選択モードが起動され、当該選択モード下において、ユーザは、バッチで、選択される必要のある複数の入力についての事前設定操作を実行し、これにより、表示される複数の入力についてのユーザによる一つずつの操作を回避し、表示される複数の入力のいくつかの入力についての自由選択及びバッチ操作を実行し、かつユーザによる操作時間の消費を低減することができる。
【００２８】
実施例２
本発明の実施例は、図４に示されるように、以下のステップを含むタッチスクリーンの操作方法を提供する。
【００２９】
４０１：現在タッチスクリーンにより表示されているコンテンツが、表示される複数の入力である場合に、ユーザの第１の入力を受信する。表示される複数の入力は、現在のインターフェースに表示されるデータ情報であり、かつ端末に記憶される複数のデータ項目に対応してもよい。図２に示されるように、表示される複数の入力は、端末の連絡先リストにおいて示される情報であり、各情報は、端末に記憶される１つのデータ項目に対応する。
【００３０】
４０２：第１の操作が第１の事前設定操作であるか否かを決定する。ここで、第１の事前設定操作は、選択モードを起動するために用いられる事前設定される操作である。選択モードとは、そのモードにおいて、端末がタッチスクリーン上のユーザの操作を受信した後、現在タッチスクリーンに表示されるコンテンツをスライドすることなく、操作のトラックに沿って、表示される複数の入力について端末がバッチ操作を実行することを意味する。
【００３１】
第１の事前設定操作、つまり、選択モードを起動するための操作は、機能メニューを用いて選択されてもよく、或いは特定のキーを用いてい起動されてもよく、ここで当該キーは、仮想キー又は物理的なキーであってもよい。機能メニューを用いる場合、選択モードを起動するために、タッチスクリーンは、特定の操作インターフェースの下で長時間タッチされるか、又は選択モードに入るために、メニューキーを用いることにより、選択メニューが操作される。本発明の実施例は、それに対して如何なる限定も設定しない。また、選択モードが起動される場合、フォント又はディスプレイの地色を変更すること、又はフローティングフォント（ｆｌｏａｔｉｎｇ  ｆｏｎｔ）を用いる等の方法を用いることにより、選択モードが起動されたことについてのダイアログがユーザに対して表示されてもよい。
【００３２】
４０３：第１の操作が選択モードを起動するための第１の事前設定操作である場合、タッチスクリーンの選択モードを起動する。
【００３３】
４０４：ユーザの第２の操作を受信し、第２の操作のトラックに沿って、複数の入力に対する第２の事前設定操作を実行する。オプションとして、第２の操作は、タップ選択操作又はスライド操作であってもよく；かつスライド操作に関して、スライディングトラックは連続又は不連続であってもよく、かつ任意の形状のトラックであってもよい。第２の事前設定操作は、複数の入力に対して実行される、選択操作又は選択解除操作である。
【００３４】
また、オプションとして、第２の操作のトラックに沿った複数の入力が選択された入力及び選択されていない入力を含む場合、第２の事前設定操作はまた、第２の操作のトラックに沿った複数の入力について、一様に実行される選択操作又は選択解除操作のいずれか１つの操作であってもよい。例えば、第２の操作のトラックに沿った複数の記録が、選択された複数の入力及び選択されていない複数の入力の双方を含む場合、数量は検出されない一方で、第２の操作のトラックに沿った複数の入力は、一様に選択操作の対象となる、といったように、第２の事前設定操作は手動で設定されてもよい。
【００３５】
代替的に、第２の操作に沿った複数の入力が、選択された複数の入力及び選択されていない複数の入力の双方を含む場合、第２の事前設定操作はまた、選択された複数の入力の数量と選択されていない複数の入力の数量との間の差分に従って、それに対応して実行される異なる複数の第２の事前設定操作であってもよい。具体的には、以下のステップＳ１からＳ３を含んでもよい。
【００３６】
Ｓ１：第２の操作のトラックに沿った複数の入力が、選択された複数の入力及び選択されていない複数の入力を含む場合、第２の操作のトラックに沿った複数の入力のうち、選択された入力の数量及び選択されていない複数の入力の数量が検出される。
【００３７】
Ｓ２：第２の操作のトラックに沿った複数の入力のうちの選択された入力の数量が、選択されていない入力の数量以上である場合、第２の操作のトラックに沿った複数の入力について、選択解除操作を実行する；又は
【００３８】
Ｓ３：第２の操作のトラックに沿った複数の入力のうちの選択された入力の数量が、選択されていない入力の数量未満である場合、第２の操作のトラックに沿って、複数の入力に対する選択操作を実行する。
【００３９】
また、オプションとして、本発明の実施例の複数のステップの実行処理において、以下の１つ以上の動作が実行されてもよい：ユーザの第２の動作のトラックが、現在の操作領域の上端／下端に達した場合、現在タッチスクリーンにより表示されるコンテンツを上／下に読み取り；かつユーザの第２の動作のトラックが、現在の操作領域の左端／右端に達した場合、現在タッチスクリーンにより表示されるコンテンツを左／右に読み取る。
【００４０】
実際的なシナリオにおいて、複数の異なる端末のモデルのため、その画面表示は、左右方向である場合があり、或いはまた上下方向である場合もある。異なる複数の場合に関して、タッチ操作のトラックが、操作領域の端に達した場合、ページ読み取り操作を実行する必要があり、かつ以前に選択されたコンテンツ又は選択されなかったコンテンツを記憶する必要がある。
【００４１】
ユーザの第２の操作のトラックが選択された領域の上端／下端又は左端／右端に達したことは、トラックの位置を周期的に検出する方法を用いて実行されてもよく、そしてまた、画面の端が第２のタッチ操作を感知した際にプロセッサに信号を送信することにより実行されてもよい。本発明の実施例は、これについて、いかなる限定も設定しない。
【００４２】
また、オプションとして、選択モードの下のページ読み取り操作は、事前に設定された回数だけタッチスクリーンをタップする、又は機能メニューを用いる、又は端末を振り動かす又はひっくり返すことによりセンサーを起動する等の方法を用いて実行されてもよく、そして本発明の実施例は、これについて如何なる限定も設定しない。
【００４３】
４０５：ユーザの第３の操作を受信する。
【００４４】
４０６：第３の操作が、選択モードを無効にするための第３の事前設定操作である場合、タッチスクリーンの選択モードを無効にする。
【００４５】
第３の事前設定操作は、事前設定されており、かつ選択モードを無効にするために使用される。第３の事前設定操作は、機能メニューを用いて選択されてもよく、或いは特定のキーを用いて起動されてもよく、ここで当該キーは仮想キー又は物理的なキーであってもよい。機能メニューを用いる場合、選択モードを無効にするために、タッチスクリーンは、特定の操作インターフェースの下で長時間タッチされるか、又は選択モードを無効にするために、メニューキーを用いることにより、選択メニューが操作される。本発明の実施例は、これについて、如何なる限定も設定しない。
【００４６】
また、オプションとして、第３の事前設定操作は、選択モードが無効にされた場合に、アプリケーションを直接開始するために用いられてもよい。例えば、ユーザが情報送信インターフェースにおける複数の連絡先を選択した後、メニューを用いることにより、「送信（ｓｅｎｄ）」プリケーションが直接開始されてもよく；かつユーザがアプリケーションを起動した後、端末は選択モードを無効にし、かつ現在の情報を送信する。本発明の実施例は、これについて、如何なる限定も設定しない。
【００４７】
本発明の実施例により提供される端末複数選択操作方法によると、ユーザの操作に従って、タッチスクリーンの選択モードが起動され、当該選択モード下において、ユーザは、バッチで、選択される必要のある複数の入力についての事前設定操作を実行し、これにより、表示される複数の入力についてのユーザによる一つずつの操作を回避し、表示される複数の入力のいくつかの入力についての自由選択及びバッチ操作を実行し、かつユーザによる操作時間の消費を低減することができる。一方で、本発明の実施例２により提供されるオプションの解決策によると、ユーザのスライド操作が選択領域の端に達した場合に、既に実行された操作が記憶されるという条件の下で、表示されたコンテンツを読み取ることができる、ということを実現することが可能であり、これにより、より良く実用化を促進することができる。
【００４８】
実施例３
本発明の実施例は、端末を提供し、そして図５に示されるように、端末は、第１操作受信部５１、選択モード起動部５２、及び第２操作受信部５３を備える。
【００４９】
第１操作受信部５１は、現在タッチスクリーンにより表示されているコンテンツが、複数の表示される入力である場合に、ユーザの第１の操作を受信するように構成される。ここで、表示される複数の入力は、端末に記憶される複数のデータ項目に対応する。複数の表示される入力は、現在のインターフェースに表示されるデータ情報であり、かつ端末に記憶される複数のデータ項目に対応し、そしてタッチスクリーンは、接触体としての、指、タッチペン等を用いることにより操作を実行することの可能な画面のことを言う。また、体性感覚ジェスチャーを使用することによる操作は、本発明の実施例により定められる範囲に属し、これについては、説明の便宜上、ここにおいては詳細には説明されないが、以下において詳細に説明される、ということに注意すべきである。
【００５０】
選択モード活性化部５２は、第１の操作が選択モードを活性化するための第１の事前設定操作である場合に、タッチスクリーンの選択モードを起動するように構成される。
【００５１】
選択モードとは、そのモードにおいて、端末がタッチスクリーン上のユーザの操作を受信した後、現在タッチスクリーンに表示されるコンテンツをスライドすることなく、操作のトラックに沿って、表示される複数の入力について端末がバッチ操作を実行することを意味する。
【００５２】
第１の事前設定操作、つまり、選択モードを起動するための操作は、機能メニューを用いて選択されてもよく、或いは特定のキーを用いて起動されてもよく、そして当該キーは、仮想キー又は物理的なキーであってもよい。機能メニューを用いる場合、選択モードを起動するために、タッチスクリーンは、特定の操作インターフェースの下で長時間タッチされるか、又は選択モードに入るために、メニューキーを用いることにより、選択メニューが操作される。本発明の実施例は、それに対して如何なる限定も設定しない。また、選択モードが起動される場合、フォント又はディスプレイの地色を変更すること、又はフローティングフォント（ｆｌｏａｔｉｎｇ  ｆｏｎｔ）を用いる等の方法を用いることにより、選択モードが起動されたことについてのダイアログがユーザに対して表示されてもよい。
【００５３】
第２操作受信部５３は、第２操作のトラックがスライディングトラックである場合に、第２の操作のトラックに沿って複数の入力についての第２の事前設定操作を実行するように構成される。オプションで、第２の操作は、タップ選択操作であってもよく、かつまたスライド操作であってもよく、そしてスライド操作について、スライディングトラックは、連続又は不連続であってもよく、かつ任意の形状のトラックであってもよい。第２の事前設定操作は、複数の入力に対して実行される、選択操作又は選択解除操作である。
【００５４】
オプションとして、第２操作受信部は：第２の操作のトラックに沿った入力が選択されていない入力である場合に、その入力について選択操作を実行するように構成される選択サブユニット；及び第２の操作のトラックに沿った入力が選択された入力である場合に、その入力について選択解除操作を実行するように構成される選択解除サブユニット；を備えてもよい。
【００５５】
また、オプションとして、第２の操作のトラックに沿った複数の入力が、選択された複数の入力及び選択されていない複数の入力を含む場合、第２操作受信部は：第２の操作のトラックに沿った複数の入力が、選択された複数の入力及び選択されていない複数の入力を含む場合に、第２の操作のトラックに沿った複数の入力について、選択操作又は選択解除操作のいずれか一つを一様に実行するように構成される、第１動作サブユニット；を含んでもよい。
【００５６】
代替的に、第２操作受信部は：第２の操作のトラックに沿った複数の入力が、選択された複数の入力及び選択されていない複数の入力を含む場合、第２の操作のトラックに沿った複数の入力における、選択された複数の入力の数量及び選択されていない複数の入力の数量を検出するように構成される検出サブユニット；及び第２の操作のトラックに沿った複数の入力のうちの選択された複数の入力の数量が選択されていない複数の入力の数量以上である場合に、第２の操作のトラックに沿った複数の入力に対する選択解除操作を実行するように構成される第２動作サブユニット；及び／又は第２の操作のトラックに沿った複数の入力のうちの選択された複数の入力の数量が選択されていない複数の入力の数量未満である場合、第２の操作のトラックに沿って、複数の入力の選択操作を実行するように構成される第３動作サブユニット；を含んでもよい。
【００５７】
オプションとして、図６に示すように、端末は、さらに、第１スライディングサブユニット及び第２スライディングサブユニットのうちの１つ以上を含んでもよく、ここで：第１スライディングユニット５４は、ユーザの第２の動作のトラックが、現在の操作領域の上端／下端に達した場合、現在タッチスクリーンにより表示されているコンテンツを上／下に読み取るように構成され；かつ第２スライディングユニット５５は、ユーザの第２の動作のトラックが、現在の操作領域の左端／右端に達した場合、現在タッチスクリーンにより表示されているコンテンツを左／右に読み取るように構成される。
【００５８】
実際的なシナリオにおいて、複数の異なる端末のモデルのため、その画面表示は、左右方向である場合があり、或いはまた上下方向である場合もある。異なる複数の場合に関して、タッチ操作のトラックが、操作領域の端に達した場合、ページ読み取り操作を実行する必要があり、かつ以前に選択されたコンテンツ又は選択されなかったコンテンツを記憶する必要がある。
【００５９】
さらに、オプションとして、端末は：ユーザの第３の操作を受信するように構成される第３操作受信部５６；及び第３の操作が、選択モードを無効化するための第３の事前設定操作である場合に、タッチスクリーンの選択モードを無効化するように構成される選択モード無効化部５７；をさらに含んでもよい。
【００６０】
第３の事前設定操作は、事前設定されており、かつ選択モードを無効にするために使用される。第３の事前設定操作は、機能メニューを用いて選択されてもよく、或いは特定のキーを用いて起動されてもよく、ここで当該キーは仮想キー又は物理的なキーであってもよい。機能メニューを用いる場合、選択モードを無効にするために、タッチスクリーンは、特定の操作インターフェースの下で長時間タッチされるか、又は選択モードを無効にするために、メニューキーを用いることにより、選択メニューが操作される。本発明の実施例は、これについて、如何なる限定も設定しない。
【００６１】
また、オプションとして、第３の事前設定操作は、選択モードが無効にされた場合に、アプリケーションを直接開始するために用いられてもよい。例えば、ユーザが情報送信インターフェースにおける複数の連絡先を選択した後、メニューを用いることにより、「送信（ｓｅｎｄ）」プリケーションが直接開始されてもよく；かつユーザがアプリケーションを起動した後、端末は選択モードを無効にし、かつ現在の情報を送信する。本発明の実施例は、これについて、如何なる限定も設定しない。
【００６２】
本発明の実施例における端末は、携帯電話、インテリジェント携帯電話及びナビゲータ等の、タッチスクリーンを有する電子装置であってもよい。
【００６３】
本発明の実施例により提供される端末によると、ユーザの操作に従って、タッチスクリーンの選択モードが起動され、当該選択モード下において、ユーザは、バッチで、選択される必要のある複数の入力についての事前設定操作を実行し、これにより、表示される複数の入力についてのユーザによる一つずつの操作を回避し、表示される複数の入力のいくつかの入力についての自由選択及びバッチ操作を実行し、かつユーザによる操作時間の消費を低減することができる。一方で、本発明の実施例２により提供されるオプションの解決策によると、ユーザのスライド操作が選択領域の端に達した場合に、既に実行された操作が記憶されるという条件の下で、表示されたコンテンツを読み取ることができる、ということを実現することが可能であり、これにより、より良く実用化を促進することができる。
【００６４】
本発明の複数の実施例は、連絡先のリストを例として説明されたが、実際的なシナリオは、これに限定されず、オーディオリスト、ショートメッセージリスト及び写真リスト等の他の複数の場合もあり得る。また、本発明の複数の実施例における端末は、携帯電話、インテリジェント携帯電話及びナビゲータ等の、タッチスクリーンを有する電子装置であってもよい。
【００６５】
また、本発明の実施例１において説明したように、本発明において説明される技術的解決手段は、タッチスクリーンだけでなく、体性感覚操作等の、他の分野に対して適用されてもよい。
【００６６】
本発明の複数の実施例における技術的解決手段が、図７に示されるように、体性感覚操作に対して適用される場合、方法は、以下を含む：
【００６７】
７０１：スクリーンにより現在表示されるコンテンツが、複数の表示される入力である場合、ユーザの第１の入力を受信する。ここで、当該複数の表示される入力は、端末に記憶される複数のデータ項目と対応する。
【００６８】
７０２：第１の操作が選択モードを起動するための第２の事前設定操作である場合、選択モードを起動し；かつ
【００６９】
７０３：ユーザの第２の操作を受信し、かつ第２の操作のトラックに沿った複数の入力について、第２の事前設定操作を実行する。ユーザによる操作は、重力センサ、加速度センサ、近接センサ、圧力センサ及びジャイロスコープなどのセンサを用いて取集されてもよく；かつ第２の事前設定操作は、表示される複数の入力に対して実行される選択操作／選択解除操作であってもよい。
【００７０】
本発明の実施例において説明される技術的解決手段が体性感覚操作に対して適用される場合、図８に示されるように、装置は：画面により表示されるコンテンツが複数の表示される入力である場合、ユーザの第１の操作を受信するように構成される第１操作受信部８１であって、複数の表示される入力は、端末に記憶される複数のデータ項目に対応する、第１操作受信部８１；第１の操作が第１の事前設定操作である場合に、選択モードを起動するように構成される選択モード起動部８２であって、第１の操作は、選択モードを起動するために使用される、選択モード起動部８２；及びユーザの第２の操作を受信し、かつ第２の操作のトラックに沿った複数の入力に対する第２の事前設定操作を実行するように構成される第２操作受信部８３；を備える。
【００７１】
複数の方法の実施例の全てのステップ又は一部のステップは、ハードウェア又は適切なハードウェアに命令するプログラムに関連するハードウェアによって実行されてもよいということを、当業者は理解することができる。プログラムは、コンピュータ読み取り可能な記憶媒体に記憶されてもよい。プログラムが実行された場合、方法の実施例のステップが実行される。上記記憶媒体は：ＲＯＭ、ＲＡＭ、磁気ディスク、光ディスク等のプログラムコードを記憶できる任意の媒体を含む。
【００７２】
前述の説明は、単に、本発明の特定の実施例であり、本発明の保護範囲を限定することは意図されていない。本発明において開示される技術範囲内で、当業者により見出される変形又は置換は、本発明の保護範囲に属さなければならない。従って、本発明の保護範囲は、特許請求項の保護範囲に従わなければならない。
【図１】
2015513149.tif 000003
【図２】
2015513149.tif 000004
【図３】
2015513149.tif 000005
【図４】
2015513149.tif 000006
【図５】
2015513149.tif 000007
【図６】
2015513149.tif 000008
【図７】
2015513149.tif 000009
【図８】
2015513149.tif 000010
【手続補正書】
【提出日】平成26年10月15日(2014.10.15)
【手続補正１】
【補正対象書類名】特許請求の範囲
【補正対象項目名】全文
【補正方法】変更
【補正の内容】
【特許請求の範囲】
【請求項１】
端末複数選択操作方法であって：
タッチスクリーンにより現在表示されているコンテンツが複数の表示される入力である場合に、ユーザの第１の操作を受信するステップであって、前記複数の表示される入力は、端末に記憶される複数のデータ項目に対応する、ステップ；
前記第１の操作が第１の事前設定操作である場合に、前記タッチスクリーンの選択モードを起動するステップ；及び
ユーザの第２の操作を受信し、かつ前記第２の操作のトラックに沿った全ての入力について、第２の事前設定操作を実行するステップ；
を備える、方法。
【請求項２】
前記第２の操作のトラックに沿った全ての入力について、第２の事前設定操作を実行するステップは：
前記第２の操作のトラックに沿った入力が選択されていない入力である場合に、該入力について選択操作を実行するステップ；及び
前記第２の操作のトラックに沿った入力が選択された入力である場合に、該入力について選択解除操作を実行するステップ；
を含む、請求項１に記載の方法。
【請求項３】
前記第２の操作のトラックに沿った全ての入力について第２の事前設定操作を実行するステップの後、前記方法は、以下のステップのうちの１つ以上をさらに含む：
前記ユーザの第２の操作のトラックが、現在の操作領域の上端／下端に達した場合に、前記タッチスクリーンにより現在表示されるコンテンツを上／下に読み取るステップ；及び
前記ユーザの第２の動作のトラックが、現在の操作領域の左端／右端に達した場合に、現在タッチスクリーンにより表示されているコンテンツを左／右に読み取るステップ；
請求項１又は２に記載の方法。
【請求項４】
前記第２の操作のトラックに沿った全ての入力について、第２の事前設定操作を実行するステップは：
前記第２の操作のトラックに沿った複数の入力が、選択された入力及び選択されていない入力の両方を含む場合に、該第２の操作のトラックに沿った該複数の入力について、一様に、選択操作又は選択解除操作を実行するステップ；
を含む、請求項１に記載の方法。
【請求項５】
前記第２の操作のトラックに沿った全ての入力について、第２の事前設定操作を実行するステップは：
前記第２の操作のトラックに沿った複数の入力が、選択された入力及び選択されていない入力の両方を含む場合、該第２の操作のトラックに沿った複数の入力の中の選択された入力の数量及び選択されていない入力の数量を検出するステップ；
前記第２の操作のトラックに沿った複数の入力の中の前記選択された入力の数量が、前記選択されていない入力の数量以上である場合に、該第２の操作のトラックに沿った複数の入力について、選択解除操作を実行するステップ；及び
前記第２の操作のトラックに沿った複数の入力の中の前記選択された入力の数量が、前記選択されていない入力の数量未満である場合に、該第２の操作のトラックに沿った複数の入力について、選択操作を実行するステップ；
を含む、請求項１に記載の方法。
【請求項６】
前記第２の操作のトラックに沿った全ての入力について第２の事前設定操作を実行するステップの後、前記方法は、以下のステップのうちの１つ以上をさらに含む：
前記ユーザの第３の操作を受信するステップ；及び
前記第３の操作が第３の事前設定操作である場合に、前記タッチスクリーンの前記選択モードを無効化するステップ；
請求項１から５のいずれか１項に記載の方法。
【請求項７】
端末であって：
現在タッチスクリーンにより表示されているコンテンツが、複数の表示される入力である場合に、ユーザの第１の操作を受信するように構成される第１操作受信部であって、前記表示される複数の入力は、端末に記憶される複数のデータ項目に対応する、第１操作受信部；
前記第１の操作が第１の事前設定操作である場合に、前記タッチスクリーンの選択モードを起動するように構成される選択モード起動部；及び
前記ユーザの第２の操作を受信し、かつ前記第２の操作のトラックがスライディングトラックである場合に、該第２の操作のトラックに沿った全ての入力について、第２の事前設定操作を実行するように構成される第２操作受信部；
を備える、端末。
【請求項８】
前記第２操作受信部は：
前記第２の操作のトラックに沿った入力が選択されていない入力である場合に、該入力について選択操作を実行するように構成される選択サブユニット；及び
前記第２の操作のトラックに沿った入力が選択された入力である場合に、該入力について選択解除操作を実行するように構成される選択解除サブユニット；
を含む、請求項７に記載の端末。
【請求項９】
第１スライディングユニット及び第２スライディングユニットのうちの１つ以上をさらに含み：
前記第１スライディングユニットは、前記ユーザの第２の動作のトラックが、現在の操作領域の上端／下端に達した場合、現在タッチスクリーンにより表示されている前記コンテンツを上／下に読み取るように構成され；かつ
前記第２スライディングユニットは、前記ユーザの第２の動作のトラックが、現在の操作領域の左端／右端に達した場合、現在タッチスクリーンにより表示されている前記コンテンツを左／右に読み取るように構成される、
請求項７又は８に記載の端末。
【請求項１０】
前記第２操作受信部は、
前記第２の操作のトラックに沿った複数の入力が、選択された入力及び選択されていない入力を含む場合に、前記第２の操作のトラックに沿った複数の入力について、選択操作又は選択解除操作のいずれか一つを一様に実行するように構成される第１動作サブユニット；
を含む、請求項７に記載の端末。
【請求項１１】
前記第２操作受信部は：
前記第２の操作のトラックに沿った複数の入力が、選択された入力及び選択されていない入力を含む場合、該第２の操作のトラックに沿った複数の入力における、選択された入力の数量及び選択されていない入力の数量を検出するように構成される検出サブユニット；及び
前記第２の操作のトラックに沿った複数の入力のうちの前記選択された入力の数量が、前記選択されていない入力の数量以上である場合に、該第２の操作のトラックに沿った複数の入力に対する選択解除操作を実行するように構成される第２動作サブユニット；及び
前記第２の操作のトラックに沿った複数の入力のうちの前記選択された入力の数量が前記選択されていない入力の数量未満である場合に、前記第２の操作のトラックに沿って、前記複数の入力の選択操作を実行するように構成される第３動作サブユニット；
を含む、請求項７に記載の端末。
【請求項１２】
ユーザの第３の操作を受信するように構成される第３操作受信部；及び
前記第３の操作が、第３の事前設定操作である場合に、前記タッチスクリーンの選択モードを無効化するように構成される選択モード無効化部；
をさらに含む、クレーム７から１１のいずれか１項に記載の端末。
【手続補正２】
【補正対象書類名】明細書
【補正対象項目名】全文
【補正方法】変更
【補正の内容】
【発明の詳細な説明】
【技術分野】
【０００１】
［関連出願の相互参照］
本出願は、２０１２年３月６日に中国特許庁に出願された「ＴＥＲＭＩＮＡＬ  ＭＵＬＴＩＳＥＬＥＣＴＩＯＮ  ＯＰＥＲＡＴＩＯＮ  ＭＥＴＨＯＤ  ＡＮＤ  ＴＥＲＭＩＮＡＬ」と題する中国特許出願第２０１２００５６７３９．５の優先権を主張し、参照することにより、その全内容をここに援用する。
【０００２】
本発明は、端末の分野に関連し、そして特に、端末複数選択操作方法及び端末に関連する。
【背景技術】
【０００３】
現在、タッチスクリーンが、携帯電話やタブレット等の端末製品において広く適用されている。ユーザが、端末装置のディスプレイインターフェースにおける複数のディスプレイ入力の操作を行う必要がある場合、通常、二つの方法が存在する。一つの方法は、必要な全ての入力が選択されるまで、タッチスクリーンを使用することにより、複数のディスプレイ入力を一つずつ選択することである；そして、もう一つの方法は、装置が全てを選択する操作を提供する場合に、全ての入力を直接選択することである。例えば、携帯電話において、ショートメッセージを複数の連絡先にグループ送信する必要がある場合、ユーザにより要求される連絡先のグループが選択されるまで、連絡先を１つずつ選択するか、或いは全ての連絡先を直接選択する必要がある。
【０００４】
従来技術は、以下の不都合を有する：ユーザが複数のディスプレイの入力を一つずつ選択することは、時間がかかり、かつ動作速度向上の及びユーザの操作性の向上に不利であり；そしてユーザが全ての連絡先を選択する必要がない場合には、全ての連絡先を直接選択する操作方法は、全く適用できない。
【発明の概要】
【発明が解決しようとする課題】
【０００５】
本発明の複数の実施例は、表示された複数の入力のうちのいくつかの入力に対する自由選択及びバッチ操作を実行可能な、端末複数選択操作方法及び端末を提供し、これによりユーザの操作速度を向上させる。
【課題を解決するための手段】
【０００６】
上記目的を達成するために、本発明の複数の実施例は、以下の技術的解決手段を採用する。
【０００７】
端末複数選択操作方法であって：タッチスクリーンにより現在表示されているコンテンツが複数の表示される入力である場合に、ユーザの第１の操作を受信するステップであって、前記複数の表示される入力は、端末に記憶される複数のデータ項目に対応する、ステップ；前記第１の操作が第１の事前設定操作である場合に、前記タッチスクリーンの選択モードを起動するステップ；及びユーザの第２の操作を受信し、かつ前記第２の操作のトラックに沿った全ての入力について、第２の事前設定操作を実行するステップ；を備える、タッチスクリーンの操作方法。
【０００８】
端末であって：タッチスクリーンにより現在表示されているコンテンツが、複数の表示される入力である場合に、ユーザによる第１の操作を受信するように構成される第１操作受信部であって、前記複数の表示される入力は、端末に記憶される複数のデータ項目に対応する、第１操作受信部；前記第１の操作が第１の事前設定操作である場合に、前記タッチスクリーンの選択モードを起動するように構成される選択モード起動部；及び前記ユーザの第２の操作を受信し、かつ前記第２の操作のトラックがスライディングトラックである場合に、該第２の操作のトラックに沿った全ての入力について、第２の事前設定操作を実行するように構成される第２操作受信部；を備える端末。
【０００９】
本発明の複数の実施例により提供される、端末複数選択操作方法及び端末において、ユーザの操作に従って、タッチスクリーンの選択モードが起動され、当該選択モード下において、ユーザは、バッチで、選択される必要のある複数の入力についての事前設定操作を実行し、これにより、表示される複数の入力についてのユーザによる一つずつの操作を回避し、表示される複数の項目のいくつかの入力についての自由選択及びバッチ操作を実行し、かつユーザによる操作時間の消費を低減することができる。
【図面の簡単な説明】
【００１０】
本発明の複数の実施例における技術的解決手段をより明確に説明するために、以下において、複数の実施例又は従来技術を説明するために必要な添付図面を簡単に紹介する。明らかに、以下の説明における添付図面は、本発明のいくつかの実施例を単に示すものであり、当業者は、創造的努力なしで、これらの添付図面から他の図面を導き出すことができる。
【００１１】
【図１】本発明の実施例１に従う、端末複数選択操作方法のフローチャートである。
【００１２】
【図２】本発明の実施例１に従う、端末表示インターフェースの概略図である。
【００１３】
【図３】図２の複数選択操作後のディスプレイインターフェースの概略図である。
【００１４】
【図４】本発明の実施例２に従う、端末複数選択操作方法のフローチャートである。
【００１５】
【図５】本発明の実施例３に従う、端末のブロック図である。
【００１６】
【図６】本発明の実施例３に従う、他の端末のブロック図である。
【００１７】
【図７】本発明の実施例に従う、体性間隔領域に対して適用される操作方法のフローチャートである。
【００１８】
【図８】本発明の実施例に従う、体性感覚領域に対して適用される端末のブロック図である。
【発明を実施するための形態】
【００１９】
以下において、本発明の複数の実施例における添付図面を参照することにより、本発明の複数の実施例における複数の技術的解決手段を明確に説明する。説明される複数の実施例は、本発明の複数の実施例の全てではなく、単にその部分であることが明らかである。本発明の複数の実施例に基づき、創造的努力なしで、当業者により取得される他の全ての実施例は、本発明の保護範囲に属さなければならない。
【００２０】
実施例１
本発明の実施例は、図１に示されるように、以下の複数のステップを含む、端末複数選択操作方法を提供する。
【００２１】
１０１：端末のタッチスクリーンにより現在表示されているコンテンツが、複数の表示される入力である場合に、ユーザの第１の操作を受信する。表示される複数の入力は、現在のインターフェースにおいて表示されるデータ情報であり、かつ端末に記憶される複数のデータ項目に対応し；かつタッチスクリーンは、接触体としての、指、タッチペン等を用いて操作を実行できるスクリーンのことを言う。また、体性感覚ジェスチャーを用いることによる操作は、説明の便宜上ここにおいては詳細には説明されないが、この後において詳細に説明される本発明の実施例により定められる範囲に属するということに注意すべきである。
【００２２】
１０２：第１の操作が、選択モードを起動するための第１の事前設定操作である場合、タッチスクリーンの選択モードを起動する。ここで、選択モードとは、そのモードにおいて、端末がタッチスクリーン上のユーザの操作を受信した後、現在タッチスクリーンに表示されるコンテンツをスライドすることなく、操作のトラックに沿って、表示される複数の入力について端末がバッチ操作を実行することを意味する。
【００２３】
第１の事前設定操作、すなわち、選択モードを起動する操作は、機能メニューを用いて選択されてもよく、又は特定のキーを用いて起動されてもよい。ここで、当該キーは、仮想キー又は物理的なキーであってもよい。機能メニューを用いる場合、選択モードを起動するために、タッチスクリーンは、特定の操作インターフェースの下で長時間タッチされるか、又は選択モードに入るために、メニューキーを用いることにより、選択メニューが操作される。本発明の実施例は、それに対して如何なる限定も設定しない。また、選択モードが起動される場合、フォント又はディスプレイの地色を変更すること、又はフローティングフォント（ｆｌｏａｔｉｎｇ  ｆｏｎｔ）を用いる等の方法を用いることにより、選択モードが起動されたことについてのダイアログがユーザに対して表示されてもよい。
【００２４】
１０３：ユーザの第２の操作を受信し、かつ第２の操作のトラックに沿って、全ての入力についての第２の事前設定操作が実行される。
【００２５】
オプションとして、第２の操作は、タップ選択操作（ｔａｐ−ｓｅｌｅｃｔｉｏｎ  ｏｐｅｒａｔｉｏｎ）又はスライド操作（ｓｌｉｄｉｎｇ  ｏｐｅｒａｔｉｏｎ）であってもよく；スライド操作について、スライディングトラック（ｓｌｉｄｉｎｇ  ｔｒａｃｋ）は、連続又は不連続であってもよく、かつ任意の形状のトラックであってもよい。第２の事前設定操作は、複数の入力に対して実行される、選択操作又は選択解除操作である。
【００２６】
例えば、図２に示されるように、タッチスクリーンにより現在表示される複数の入力は、連絡先のリストであり、そして、この場合において、ユーザは、特定の操作を用いることにより、選択モードを開始することができる。ここで、当該特定の操作は、機能メニューを用いることによる選択又は特定のキーを用いることによる起動であってもよく、当該キーは仮想キー又は物理的キーであってもよい。選択モードに入った後、ユーザは、タッチスクリーン上でのスライド又はタッチスクリーンのタッピング等により、現在表示されている連絡先のリストの複数の入力を選択してもよく、かつユーザの操作に従って、端末は事前設定操作、つまり、操作のトラックに沿った全ての連絡先についての選択操作又は選択解除操作を実行する。事前設定操作が選択操作である場合、表示効果は、図３に示されるようになる。選択ボックスは、必ずしも連絡先のリスト内である必要はなく、かつ端末は、他の方法を用いて選択された情報のダイアログをユーザに表示してもよい。図２及び図３の双方は、本発明の実施例の例示的な実施方法を示す。
【００２７】
本発明の実施例により提供される、端末複数選択操作方法によると、ユーザの操作に従って、タッチスクリーンの選択モードが起動され、当該選択モード下において、ユーザは、バッチで、選択される必要のある複数の入力についての事前設定操作を実行し、これにより、表示される複数の入力についてのユーザによる一つずつの操作を回避し、表示される複数の入力のいくつかの入力についての自由選択及びバッチ操作を実行し、かつユーザによる操作時間の消費を低減することができる。
【００２８】
実施例２
本発明の実施例は、図４に示されるように、以下のステップを含む端末複数選択操作方法を提供する。
【００２９】
４０１：現在タッチスクリーンにより表示されているコンテンツが、表示される複数の入力である場合に、ユーザの第１の入力を受信する。表示される複数の入力は、現在のインターフェースに表示されるデータ情報であり、かつ端末に記憶される複数のデータ項目に対応してもよい。図２に示されるように、表示される複数の入力は、端末の連絡先リストにおいて示される情報であり、各情報は、端末に記憶される１つのデータ項目に対応する。
【００３０】
４０２：第１の操作が第１の事前設定操作であるか否かを決定する。ここで、第１の事前設定操作は、選択モードを起動するために用いられる事前設定される操作である。選択モードとは、そのモードにおいて、端末がタッチスクリーン上のユーザの操作を受信した後、現在タッチスクリーンに表示されるコンテンツをスライドすることなく、操作のトラックに沿って、表示される複数の入力について端末がバッチ操作を実行することを意味する。
【００３１】
第１の事前設定操作、つまり、選択モードを起動するための操作は、機能メニューを用いて選択されてもよく、或いは特定のキーを用いてい起動されてもよく、ここで当該キーは、仮想キー又は物理的なキーであってもよい。機能メニューを用いる場合、選択モードを起動するために、タッチスクリーンは、特定の操作インターフェースの下で長時間タッチされるか、又は選択モードに入るために、メニューキーを用いることにより、選択メニューが操作される。本発明の実施例は、それに対して如何なる限定も設定しない。また、選択モードが起動される場合、フォント又はディスプレイの地色を変更すること、又はフローティングフォント（ｆｌｏａｔｉｎｇ  ｆｏｎｔ）を用いる等の方法を用いることにより、選択モードが起動されたことについてのダイアログがユーザに対して表示されてもよい。
【００３２】
４０３：第１の操作が選択モードを起動するための第１の事前設定操作である場合、タッチスクリーンの選択モードを起動する。
【００３３】
４０４：ユーザの第２の操作を受信し、第２の操作のトラックに沿って、複数の入力に対する第２の事前設定操作を実行する。オプションとして、第２の操作は、タップ選択操作又はスライド操作であってもよく；かつスライド操作に関して、スライディングトラックは連続又は不連続であってもよく、かつ任意の形状のトラックであってもよい。第２の事前設定操作は、複数の入力に対して実行される、選択操作又は選択解除操作である。
【００３４】
また、オプションとして、第２の操作のトラックに沿った複数の入力が選択された入力及び選択されていない入力を含む場合、第２の事前設定操作はまた、第２の操作のトラックに沿った複数の入力について、一様に実行される選択操作又は選択解除操作のいずれか１つの操作であってもよい。例えば、第２の操作のトラックに沿った複数の入力が、選択された複数の入力及び選択されていない複数の入力の双方を含む場合、数量は検出されない一方で、第２の操作のトラックに沿った複数の入力は、一様に選択操作の対象となる、といったように、第２の事前設定操作は手動で設定されてもよい。
【００３５】
代替的に、第２の操作に沿った複数の入力が、選択された複数の入力及び選択されていない複数の入力の双方を含む場合、第２の事前設定操作はまた、選択された複数の入力の数量と選択されていない複数の入力の数量との間の差分に従って、それに対応して実行される異なる複数の第２の事前設定操作であってもよい。具体的には、以下のステップＳ１からＳ３を含んでもよい。
【００３６】
Ｓ１：第２の操作のトラックに沿った複数の入力が、選択された複数の入力及び選択されていない複数の入力を含む場合、第２の操作のトラックに沿った複数の入力のうち、選択された入力の数量及び選択されていない複数の入力の数量が検出される。
【００３７】
Ｓ２：第２の操作のトラックに沿った複数の入力のうちの選択された入力の数量が、選択されていない入力の数量以上である場合、第２の操作のトラックに沿った複数の入力について、選択解除操作を実行する；又は
【００３８】
Ｓ３：第２の操作のトラックに沿った複数の入力のうちの選択された入力の数量が、選択されていない入力の数量未満である場合、第２の操作のトラックに沿って、複数の入力に対する選択操作を実行する。
【００３９】
また、オプションとして、本発明の実施例の複数のステップの実行処理において、以下の１つ以上の動作が実行されてもよい：ユーザの第２の動作のトラックが、現在の操作領域の上端／下端に達した場合、現在タッチスクリーンにより表示されるコンテンツを上／下に読み取り；かつユーザの第２の動作のトラックが、現在の操作領域の左端／右端に達した場合、現在タッチスクリーンにより表示されるコンテンツを左／右に読み取る。
【００４０】
実際的なシナリオにおいて、複数の異なる端末のモデルのため、その画面表示は、左右方向である場合があり、或いはまた上下方向である場合もある。異なる複数の場合に関して、タッチ操作のトラックが、操作領域の端に達した場合、ページ読み取り操作を実行する必要があり、かつ以前に選択されたコンテンツ又は選択されなかったコンテンツを記憶する必要がある。
【００４１】
ユーザの第２の操作のトラックが選択された領域の上端／下端又は左端／右端に達したことは、トラックの位置を周期的に検出する方法を用いて実行されてもよく、そしてまた、画面の端が第２のタッチ操作を感知した際にプロセッサに信号を送信することにより実行されてもよい。本発明の実施例は、これについて、いかなる限定も設定しない。
【００４２】
また、オプションとして、選択モードの下のページ読み取り操作は、事前に設定された回数だけタッチスクリーンをタップする、又は機能メニューを用いる、又は端末を振り動かす又はひっくり返すことによりセンサーを起動する等の方法を用いて実行されてもよく、そして本発明の実施例は、これについて如何なる限定も設定しない。
【００４３】
４０５：ユーザの第３の操作を受信する。
【００４４】
４０６：第３の操作が、選択モードを無効にするための第３の事前設定操作である場合、タッチスクリーンの選択モードを無効にする。
【００４５】
第３の事前設定操作は、事前設定されており、かつ選択モードを無効にするために使用される。第３の事前設定操作は、機能メニューを用いて選択されてもよく、或いは特定のキーを用いて起動されてもよく、ここで当該キーは仮想キー又は物理的なキーであってもよい。機能メニューを用いる場合、選択モードを無効にするために、タッチスクリーンは、特定の操作インターフェースの下で長時間タッチされるか、又は選択モードを無効にするために、メニューキーを用いることにより、選択メニューが操作される。本発明の実施例は、これについて、如何なる限定も設定しない。
【００４６】
また、オプションとして、第３の事前設定操作は、選択モードが無効にされた場合に、アプリケーションを直接開始するために用いられてもよい。例えば、ユーザが情報送信インターフェースにおける複数の連絡先を選択した後、メニューを用いることにより、「送信（ｓｅｎｄ）」プリケーションが直接開始されてもよく；かつユーザがアプリケーションを起動した後、端末は選択モードを無効にし、かつ現在の情報を送信する。本発明の実施例は、これについて、如何なる限定も設定しない。
【００４７】
本発明の実施例により提供される端末複数選択操作方法によると、ユーザの操作に従って、タッチスクリーンの選択モードが起動され、当該選択モード下において、ユーザは、バッチで、選択される必要のある複数の入力についての事前設定操作を実行し、これにより、表示される複数の入力についてのユーザによる一つずつの操作を回避し、表示される複数の入力のいくつかの入力についての自由選択及びバッチ操作を実行し、かつユーザによる操作時間の消費を低減することができる。一方で、本発明の実施例２により提供されるオプションの解決策によると、ユーザのスライド操作が選択領域の端に達した場合に、既に実行された操作が記憶されるという条件の下で、表示されたコンテンツを読み取ることができる、ということを実現することが可能であり、これにより、より良く実用化を促進することができる。
【００４８】
実施例３
本発明の実施例は、端末を提供し、そして図５に示されるように、端末は、第１操作受信部５１、選択モード起動部５２、及び第２操作受信部５３を備える。
【００４９】
第１操作受信部５１は、現在タッチスクリーンにより表示されているコンテンツが、複数の表示される入力である場合に、ユーザの第１の操作を受信するように構成される。ここで、表示される複数の入力は、端末に記憶される複数のデータ項目に対応する。複数の表示される入力は、現在のインターフェースに表示されるデータ情報であり、かつ端末に記憶される複数のデータ項目に対応し、そしてタッチスクリーンは、接触体としての、指、タッチペン等を用いることにより操作を実行することの可能な画面のことを言う。また、体性感覚ジェスチャーを使用することによる操作は、本発明の実施例により定められる範囲に属し、これについては、説明の便宜上、ここにおいては詳細には説明されないが、以下において詳細に説明される、ということに注意すべきである。
【００５０】
選択モード活性化部５２は、第１の操作が選択モードを活性化するための第１の事前設定操作である場合に、タッチスクリーンの選択モードを起動するように構成される。
【００５１】
選択モードとは、そのモードにおいて、端末がタッチスクリーン上のユーザの操作を受信した後、現在タッチスクリーンに表示されるコンテンツをスライドすることなく、操作のトラックに沿って、表示される複数の入力について端末がバッチ操作を実行することを意味する。
【００５２】
第１の事前設定操作、つまり、選択モードを起動するための操作は、機能メニューを用いて選択されてもよく、或いは特定のキーを用いてい起動されてもよく、そして当該キーは、仮想キー又は物理的なキーであってもよい。機能メニューを用いる場合、選択モードを起動するために、タッチスクリーンは、特定の操作インターフェースの下で長時間タッチされるか、又は選択モードに入るために、メニューキーを用いることにより、選択メニューが操作される。本発明の実施例は、それに対して如何なる限定も設定しない。また、選択モードが起動される場合、フォント又はディスプレイの地色を変更すること、又はフローティングフォント（ｆｌｏａｔｉｎｇ  ｆｏｎｔ）を用いる等の方法を用いることにより、選択モードが起動されたことについてのダイアログがユーザに対して表示されてもよい。
【００５３】
第２操作受信部５３は、第２操作のトラックがスライディングトラックである場合に、第２の操作のトラックに沿って複数の入力についての第２の事前設定操作を実行するように構成される。オプションで、第２の操作は、タップ選択操作であってもよく、かつまたスライド操作であってもよく、そしてスライド操作について、スライディングトラックは、連続又は不連続であってもよく、かつ任意の形状のトラックであってもよい。第２の事前設定操作は、複数の入力に対して実行される、選択操作又は選択解除操作である。
【００５４】
オプションとして、第２操作受信部は：第２の操作のトラックに沿った入力が選択されていない入力である場合に、その入力について選択操作を実行するように構成される選択サブユニット；及び第２の操作のトラックに沿った入力が選択された入力である場合に、その入力について選択解除操作を実行するように構成される選択解除サブユニット；を備えてもよい。
【００５５】
また、オプションとして、第２の操作のトラックに沿った複数の入力が、選択された複数の入力及び選択されていない複数の入力を含む場合、第２操作受信部は：第２の操作のトラックに沿った複数の入力が、選択された複数の入力及び選択されていない複数の入力を含む場合に、第２の操作のトラックに沿った複数の入力について、選択操作又は選択解除操作のいずれか一つを一様に実行するように構成される、第１動作サブユニット；を含んでもよい。
【００５６】
代替的に、第２操作受信部は：第２の操作のトラックに沿った複数の入力が、選択された複数の入力及び選択されていない複数の入力を含む場合、第２の操作のトラックに沿った複数の入力における、選択された複数の入力の数量及び選択されていない複数の入力の数量を検出するように構成される検出サブユニット；及び第２の操作のトラックに沿った複数の入力のうちの選択された複数の入力の数量が選択されていない複数の入力の数量以上である場合に、第２の操作のトラックに沿った複数の入力に対する選択解除操作を実行するように構成される第２動作サブユニット；及び／又は第２の操作のトラックに沿った複数の入力のうちの選択された複数の入力の数量が選択されていない複数の入力の数量未満である場合、第２の操作のトラックに沿って、複数の入力の選択操作を実行するように構成される第３動作サブユニット；を含んでもよい。
【００５７】
オプションとして、図６に示すように、端末は、さらに、第１スライディングユニット及び第２スライディングユニットのうちの１つ以上を含んでもよく、ここで：第１スライディングユニット５４は、ユーザの第２の動作のトラックが、現在の操作領域の上端／下端に達した場合、現在タッチスクリーンにより表示されているコンテンツを上／下に読み取るように構成され；かつ第２スライディングユニット５５は、ユーザの第２の動作のトラックが、現在の操作領域の左端／右端に達した場合、現在タッチスクリーンにより表示されているコンテンツを左／右に読み取るように構成される。
【００５８】
実際的なシナリオにおいて、複数の異なる端末のモデルのため、その画面表示は、左右方向である場合があり、或いはまた上下方向である場合もある。異なる複数の場合に関して、タッチ操作のトラックが、操作領域の端に達した場合、ページ読み取り操作を実行する必要があり、かつ以前に選択されたコンテンツ又は選択されなかったコンテンツを記憶する必要がある。
【００５９】
さらに、オプションとして、端末は：ユーザの第３の操作を受信するように構成される第３操作受信部５６；及び第３の操作が、選択モードを無効化するための第３の事前設定操作である場合に、タッチスクリーンの選択モードを無効化するように構成される選択モード無効化部５７；をさらに含んでもよい。
【００６０】
第３の事前設定操作は、事前設定されており、かつ選択モードを無効にするために使用される。第３の事前設定操作は、機能メニューを用いて選択されてもよく、或いは特定のキーを用いて起動されてもよく、ここで当該キーは仮想キー又は物理的なキーであってもよい。機能メニューを用いる場合、選択モードを無効にするために、タッチスクリーンは、特定の操作インターフェースの下で長時間タッチされるか、又は選択モードを無効にするために、メニューキーを用いることにより、選択メニューが操作される。本発明の実施例は、これについて、如何なる限定も設定しない。
【００６１】
また、オプションとして、第３の事前設定操作は、選択モードが無効にされた場合に、アプリケーションを直接開始するために用いられてもよい。例えば、ユーザが情報送信インターフェースにおける複数の連絡先を選択した後、メニューを用いることにより、「送信（ｓｅｎｄ）」プリケーションが直接開始されてもよく；かつユーザがアプリケーションを起動した後、端末は選択モードを無効にし、かつ現在の情報を送信する。本発明の実施例は、これについて、如何なる限定も設定しない。
【００６２】
本発明の実施例における端末は、携帯電話、インテリジェント携帯電話及びナビゲータ等の、タッチスクリーンを有する電子装置であってもよい。
【００６３】
本発明の実施例により提供される端末によると、ユーザの操作に従って、タッチスクリーンの選択モードが起動され、当該選択モード下において、ユーザは、バッチで、選択される必要のある複数の入力についての事前設定操作を実行し、これにより、表示される複数の入力についてのユーザによる一つずつの操作を回避し、表示される複数の入力のいくつかの入力についての自由選択及びバッチ操作を実行し、かつユーザによる操作時間の消費を低減することができる。一方で、本発明の実施例３により提供されるオプションの解決策によると、ユーザのスライド操作が選択領域の端に達した場合に、既に実行された操作が記憶されるという条件の下で、表示されたコンテンツを読み取ることができる、ということを実現することが可能であり、これにより、より良く実用化を促進することができる。
【００６４】
本発明の複数の実施例は、連絡先のリストを例として説明されたが、実際的なシナリオは、これに限定されず、オーディオリスト、ショートメッセージリスト及び写真リスト等の他の複数の場合もあり得る。また、本発明の複数の実施例における端末は、携帯電話、インテリジェント携帯電話及びナビゲータ等の、タッチスクリーンを有する電子装置であってもよい。
【００６５】
また、本発明の実施例１において説明したように、本発明において説明される技術的解決手段は、タッチスクリーンだけでなく、体性感覚操作等の、他の分野に対して適用されてもよい。
【００６６】
本発明の複数の実施例における技術的解決手段が、図７に示されるように、体性感覚操作に対して適用される場合、方法は、以下を含む：
【００６７】
７０１：スクリーンにより現在表示されるコンテンツが、複数の表示される入力である場合、ユーザの第１の入力を受信する。ここで、当該複数の表示される入力は、端末に記憶される複数のデータ項目と対応する。
【００６８】
７０２：第１の操作が選択モードを起動するための第２の事前設定操作である場合、選択モードを起動し；かつ
【００６９】
７０３：ユーザの第２の操作を受信し、かつ第２の操作のトラックに沿った複数の入力について、第２の事前設定操作を実行する。ユーザによる操作は、重力センサ、加速度センサ、近接センサ、圧力センサ及びジャイロスコープなどのセンサを用いて取集されてもよく；かつ第２の事前設定操作は、表示される複数の入力に対して実行される選択操作／選択解除操作であってもよい。
【００７０】
本発明の実施例において説明される技術的解決手段が体性感覚操作に対して適用される場合、図８に示されるように、端末は：画面により表示されるコンテンツが複数の表示される入力である場合、ユーザの第１の操作を受信するように構成される第１操作受信部８１であって、複数の表示される入力は、端末に記憶される複数のデータ項目に対応する、第１操作受信部８１；第１の操作が第１の事前設定操作である場合に、選択モードを起動するように構成される選択モード起動部８２であって、第１の操作は、選択モードを起動するために使用される、選択モード起動部８２；及びユーザの第２の操作を受信し、かつ第２の操作のトラックに沿った複数の入力に対する第２の事前設定操作を実行するように構成される第２操作受信部８３；を備える。
【００７１】
複数の方法の実施例の全てのステップ又は一部のステップは、ハードウェア又は適切なハードウェアに命令するプログラムに関連するハードウェアによって実行されてもよいということを、当業者は理解することができる。プログラムは、コンピュータ読み取り可能な記憶媒体に記憶されてもよい。プログラムが実行された場合、方法の実施例のステップが実行される。上記記憶媒体は：ＲＯＭ、ＲＡＭ、磁気ディスク、光ディスク等のプログラムコードを記憶できる任意の媒体を含む。
【００７２】
前述の説明は、単に、本発明の特定の実施例であり、本発明の保護範囲を限定することは意図されていない。本発明において開示される技術範囲内で、当業者により見出される変形又は置換は、本発明の保護範囲に属さなければならない。従って、本発明の保護範囲は、特許請求項の保護範囲に従わなければならない。
【国際調査報告】
2015513149.tif 000011
2015513149.tif 000012
2015513149.tif 000013
2015513149.tif 000014